(57)【要約】【課題】周辺既存建物の影響を高精度に反映した新築建物の環境設計シミュレーションを行う。【解決手段】シミュレーションシステムは、位置特定操作を受け付ける位置入力部と、地図データおよび標高データを取得する地図データ取得部と、建設される建物の設計データである新築建物設計データを取得する新築建物設計データ取得部と、地図データが示す地図上に、新築建物設計データが示す建物を配置するデータ合成部と、地図に対する建物の相対位置および相対角度の少なくとも一方を修正する修正部とを備え、地図データが示す地図には、新築建物設計データが示す建物の建設予定位置が含まれ、地図データおよび標高データには、建設予定位置の標高データと、建設予定位置の周辺の位置の既存建物である周辺既存建物の情報とが含まれ、周辺既存建物の情報には、周辺既存建物の位置の標高データと周辺既存建物の高さ情報と周辺既存建物の輪郭形状情報とが含まれる。【選択図】図１
2020149160.tif 000002
【特許請求の範囲】
【請求項１】
位置特定操作を受け付ける位置入力部と、
前記位置入力部に対する前記位置特定操作において特定される位置を含む地図データおよび標高データを取得する地図データ取得部と、
建設される建物の設計データである新築建物設計データを取得する新築建物設計データ取得部と、
前記地図データ取得部によって取得される前記地図データが示す地図上に、前記新築建物設計データ取得部によって取得される前記新築建物設計データが示す前記建物を配置するデータ合成部と、
前記地図に対する前記建物の相対位置および相対角度の少なくとも一方を修正する修正部とを備え、
前記地図データが示す前記地図には、前記新築建物設計データが示す前記建物の建設予定位置が含まれ、
前記地図データ取得部によって取得される前記地図データおよび標高データには、前記建設予定位置の標高データと、前記建設予定位置の周辺の位置の既存建物である周辺既存建物の情報とが含まれ、
前記周辺既存建物の情報には、前記周辺既存建物の位置の標高データと、前記周辺既存建物の高さ情報と、前記周辺既存建物の輪郭形状情報とが含まれる、
シミュレーションシステム。
【請求項２】
前記修正部は、
前記地図データ取得部によって取得される前記地図データが示す前記地図に含まれる前記建設予定位置に、前記建物とは異なる既存建物が存在する場合に、
前記既存建物を消去する、
請求項１に記載のシミュレーションシステム。
【請求項３】
前記地図データ取得部によって取得される前記地図データおよび標高データに含まれる前記建設予定位置の標高データと前記周辺既存建物の情報とに基づいて、前記建設予定位置と前記周辺既存建物とを３次元表示処理すると共に、
前記新築建物設計データに基づいて、前記建物を前記建設予定位置上に３次元表示処理する３次元表示処理部を更に備える、
請求項２に記載のシミュレーションシステム。
【請求項４】
前記周辺既存建物の高さ情報には、前記周辺既存建物の階数情報が含まれ、
前記３次元表示処理部は、前記周辺既存建物の位置の標高データと、前記周辺既存建物の階数情報とに基づいて、前記周辺既存建物を３次元表示処理する、
請求項３に記載のシミュレーションシステム。
【請求項５】
前記地図データ取得部は、数百メートル×数百メートルの範囲の前記地図データおよび標高データを取得する、
請求項１に記載のシミュレーションシステム。
【請求項６】
前記地図データ取得部は、
前記周辺既存建物の属性の情報および住所番地の情報が除かれたものであって、都道府県市区町村の境界線の情報が除かれたものであって、前記建設予定位置に隣接する道路と前記建設予定位置との境界線の情報が含まれるものを、前記地図データおよび標高データとして取得する、
請求項１から請求項５のいずれか一項に記載のシミュレーションシステム。
【請求項７】
前記地図データ取得部は、
地図データベースにおいて更新された前記地図データおよび標高データを、前記地図データベースから取得する、
請求項１から請求項６のいずれか一項に記載のシミュレーションシステム。
【請求項８】
前記地図データ取得部は、
前記地図データベースにおいて前記建設予定位置の標高データと前記周辺既存建物の位置の標高データとが前記地図データに対して付加されたものを、前記地図データおよび標高データとして前記地図データベースから取得する、
請求項７に記載のシミュレーションシステム。
【請求項９】
前記新築建物設計データには、前記建物の敷地の外周線の位置情報が含まれ、
前記修正部は、
前記地図データが示す前記建設予定位置の外周線の少なくとも一部分と、前記新築建物設計データが示す前記敷地の外周線の少なくとも一部分とが一致するように、前記地図に対する前記建物の相対位置および相対角度の少なくとも一方を修正する、
請求項１から請求項８のいずれか一項に記載のシミュレーションシステム。
【請求項１０】
前記地図データが示す前記建設予定位置の前記外周線が、前記地図データに含まれていないか、あるいは、不明瞭である場合、
前記修正部は、
前記地図に対する前記建物の相対位置および相対角度の少なくとも一方の修正を実行する前に、
前記地図データが示す前記建設予定位置の前記外周線を追加する、
請求項９に記載のシミュレーションシステム。
【請求項１１】
位置特定操作を受け付ける位置入力ステップと、
前記位置入力ステップにおける前記位置特定操作において特定される位置を含む地図データおよび標高データを取得する地図データ取得ステップと、
建設される建物の設計データである新築建物設計データを取得する新築建物設計データ取得ステップと、
前記地図データ取得ステップにおいて取得される前記地図データが示す地図上に、前記新築建物設計データ取得ステップにおいて取得される前記新築建物設計データが示す前記建物を配置するデータ合成ステップと、
前記地図に対する前記建物の相対位置および相対角度の少なくとも一方を修正する修正ステップとを備えるシミュレーション方法であって、
前記地図データが示す前記地図には、前記新築建物設計データが示す前記建物の建設予定位置が含まれ、
前記地図データ取得ステップにおいて取得される前記地図データおよび標高データには、前記建設予定位置の標高データと、前記建設予定位置の周辺の位置の既存建物である周辺既存建物の情報とが含まれ、
前記周辺既存建物の情報には、前記周辺既存建物の位置の標高データと、前記周辺既存建物の高さ情報と、前記周辺既存建物の輪郭形状情報とが含まれる、
シミュレーション方法。
【請求項１２】
コンピュータに、
位置特定操作を受け付ける位置入力ステップと、
前記位置入力ステップにおける前記位置特定操作において特定される位置を含む地図データおよび標高データを取得する地図データ取得ステップと、
建設される建物の設計データである新築建物設計データを取得する新築建物設計データ取得ステップと、
前記地図データ取得ステップにおいて取得される前記地図データが示す地図上に、前記新築建物設計データ取得ステップにおいて取得される前記新築建物設計データが示す前記建物を配置するデータ合成ステップと、
前記地図に対する前記建物の相対位置および相対角度の少なくとも一方を修正する修正ステップと
を実行させるためのプログラムであって、
前記地図データが示す前記地図には、前記新築建物設計データが示す前記建物の建設予定位置が含まれ、
前記地図データ取得ステップにおいて取得される前記地図データおよび標高データには、前記建設予定位置の標高データと、前記建設予定位置の周辺の位置の既存建物である周辺既存建物の情報とが含まれ、
前記周辺既存建物の情報には、前記周辺既存建物の位置の標高データと、前記周辺既存建物の高さ情報と、前記周辺既存建物の輪郭形状情報とが含まれる、
プログラム。
【発明の詳細な説明】
【技術分野】
【０００１】
本発明はシミュレーションシステム、シミュレーション方法およびプログラムに関する。
【背景技術】
【０００２】
特許文献１には、周辺建物の影響を含めた、建物の内部における空気流値のシミュレーションを行うシミュレーションシステムが記載されている。特許文献１に記載された技術では、入出力部が、建物に関する建物データと、近接領域を取り囲む周辺領域に配置された周辺建物を特定可能な周辺建物データとを受け付け、計算部が、周辺建物データに基づいて近接領域の空気流値を求める。
特許文献１には、周辺建物の位置および形状が、周辺建物の外郭の平面的な形状が示された住宅地図情報から特定される例が記載されている。
また、特許文献１には、建物データが、建物の建設地情報（例えば建物の建設地（敷地）の形状の情報）、建物の外装部や内部構成の情報などを含む旨が記載されている。建物の建設地情報（例えば建物の建設地（敷地）の形状の情報）は、通常、その建物の建設地（敷地）の測量を行うことによって得られる。建物の外装部や内部構成の情報としては、通常、その建物の設計データが用いられる。
つまり、特許文献１に記載されているような建物の内部における空気流値のシミュレーションが行われる場合には、住宅地図情報と、測量により得られた情報と、建物の設計データとを合成することによって、その建物と周辺建物との相対位置関係が得られる。
ところで、住宅地図における建物の敷地の形状・位置と、測量により得られたその建物の建設地（敷地）の形状・位置とは、通常一致しない。
そのため、特許文献１に記載されているような建物の内部における空気流値のシミュレーションが行われる場合に、住宅地図情報と、測量により得られた情報と、建物の設計データとを合成しただけでは、その建物と周辺建物との相対位置関係を正確に得ることができないおそれがある。当然のことながら、その建物と周辺建物との相対位置関係を正確に得ることができない場合には、周辺建物の影響を高精度に反映したその建物の内部の空気流値のシミュレーションを行うことができない。
【０００３】
特許文献２には、複数の通風状態を重ね合わせることにより建物の総合的な通風状態を算出する通風評価システムが記載されている。
ところで、特許文献２には、建物の総合的な通風状態を算出するために、地図情報を利用するか否か、建物の建設地（敷地）の測量結果を利用するか否か、および、建物の設計データを利用するか否かについて記載されていない。
【０００４】
特許文献３には、住宅の開口部が屋外から受ける天空光の量を求め、求めた光の量から特定の照明器具の照明能力に換算することで、開口部を照明器具に見立てて屋内の昼光の明るさを予測する屋内明るさの予測方法が記載されている。
ところで、特許文献３には、屋内の昼光の明るさを予測するために、地図情報を利用するか否か、建物の建設地（敷地）の測量結果を利用するか否か、および、建物の設計データを利用するか否かについて記載されていない。
【０００５】
特許文献４には、目的の敷地に対して建物の配置を決めるために敷地を複数に分割して日照の度合いをシミュレーションする日照シミュレーションシステムが記載されている。
ところで、特許文献４には、日照の度合いをシミュレーションするために、地図情報を利用するか否か、および、建物の建設地（敷地）の測量結果を利用するか否かについて記載されていない。
また、特許文献４に記載された技術では、日照の度合いをシミュレーションするために設計データが利用されるのではなく、日照の度合いのシミュレーションの結果が、住宅（建物）の設計に利用される。
【０００６】
特許文献５には、緯度、経度、季節および時刻から太陽位置を演算し、建物開口部の方向から開口部に対する太陽位置を演算し、天空光による開口部の輝度を基準として開口部に光源を設定し、開口部をグリッドに分割してグリッドごとに日照障害物の影になるかどうかを判定し、影にならないと判定されたグリッドを使って開口部から床面に照射される照度分布または熱量分布を演算する住宅用日照シミュレーション方法が記載されている。
ところで、特許文献５には、建物全体を設計することなく住宅用日照シミュレーションが行われる旨が記載されているものの、住宅用日照シミュレーションを行うために、地図情報を利用するか否か、および、建物の建設地（敷地）の測量結果を利用するか否かについて記載されていない。
【先行技術文献】
【特許文献】
【０００７】
【特許文献１】特開２０１７−０１０４９５号公報
【特許文献２】特許第３８４７１５９号公報
【特許文献３】特許第３８７８８４４号公報
【特許文献４】特許第４１５２０９７号公報
【特許文献５】特許第４４０１３７７号公報
【発明の概要】
【発明が解決しようとする課題】
【０００８】
上述した問題点に鑑み、本発明は、周辺既存建物の影響を高精度に反映した新築建物の環境設計シミュレーションを行うことができるシミュレーションシステム、シミュレーション方法およびプログラムを提供することを目的とする。
【課題を解決するための手段】
【０００９】
本発明の一態様は、位置特定操作を受け付ける位置入力部と、前記位置入力部に対する前記位置特定操作において特定される位置を含む地図データおよび標高データを取得する地図データ取得部と、建設される建物の設計データである新築建物設計データを取得する新築建物設計データ取得部と、前記地図データ取得部によって取得される前記地図データが示す地図上に、前記新築建物設計データ取得部によって取得される前記新築建物設計データが示す前記建物を配置するデータ合成部と、前記地図に対する前記建物の相対位置および相対角度の少なくとも一方を修正する修正部とを備え、前記地図データが示す前記地図には、前記新築建物設計データが示す前記建物の建設予定位置が含まれ、前記地図データ取得部によって取得される前記地図データおよび標高データには、前記建設予定位置の標高データと、前記建設予定位置の周辺の位置の既存建物である周辺既存建物の情報とが含まれ、前記周辺既存建物の情報には、前記周辺既存建物の位置の標高データと、前記周辺既存建物の高さ情報と、前記周辺既存建物の輪郭形状情報とが含まれる、シミュレーションシステムである。
【００１０】
本発明の一態様のシミュレーションシステムでは、前記修正部は、前記地図データ取得部によって取得される前記地図データが示す前記地図に含まれる前記建設予定位置上に、前記建物とは異なる既存建物が存在する場合に、前記既存建物を消去してもよい。
【００１１】
本発明の一態様のシミュレーションシステムは、前記地図データ取得部によって取得される前記地図データおよび標高データに含まれる前記建設予定位置の標高データと前記周辺既存建物の情報とに基づいて、前記建設予定位置と前記周辺既存建物とを３次元表示処理すると共に、前記新築建物設計データに基づいて、前記建物を前記建設予定位置上に３次元表示処理する３次元表示処理部を更に備えていてもよい。
【００１２】
本発明の一態様のシミュレーションシステムでは、前記周辺既存建物の高さ情報には、前記周辺既存建物の階数情報が含まれ、前記３次元表示処理部は、前記周辺既存建物の位置の標高データと、前記周辺既存建物の階数情報とに基づいて、前記周辺既存建物を３次元表示処理してもよい。
【００１３】
本発明の一態様のシミュレーションシステムでは、前記地図データ取得部は、数百メートル×数百メートルの範囲の前記地図データおよび標高データを取得してもよい。
【００１４】
本発明の一態様のシミュレーションシステムでは、前記地図データ取得部は、前記周辺既存建物の属性の情報および住所番地の情報が除かれたものであって、都道府県市区町村の境界線の情報が除かれたものであって、前記建設予定位置に隣接する道路と前記建設予定位置との境界線の情報が含まれるものを、前記地図データおよび標高データとして取得してもよい。
【００１５】
本発明の一態様のシミュレーションシステムでは、前記地図データ取得部は、地図データベースにおいて更新された前記地図データおよび標高データを、前記地図データベースから取得してもよい。
【００１６】
本発明の一態様のシミュレーションシステムでは、前記地図データ取得部は、前記地図データベースにおいて前記建設予定位置の標高データと前記周辺既存建物の位置の標高データとが前記地図データに対して付加されたものを、前記地図データおよび標高データとして前記地図データベースから取得してもよい。
【００１７】
本発明の一態様のシミュレーションシステムでは、前記新築建物設計データには、前記建物の敷地の外周線の位置情報が含まれ、前記修正部は、前記地図データが示す前記建設予定位置の外周線の少なくとも一部分と、前記新築建物設計データが示す前記敷地の外周線の少なくとも一部分とが一致するように、前記地図に対する前記建物の相対位置および相対角度の少なくとも一方を修正してもよい。
【００１８】
本発明の一態様のシミュレーションシステムでは、前記地図データが示す前記建設予定位置の前記外周線が、前記地図データに含まれていないか、あるいは、不明瞭である場合、前記修正部は、前記地図に対する前記建物の相対位置および相対角度の少なくとも一方の修正を実行する前に、前記地図データが示す前記建設予定位置の前記外周線を追加してもよい。
【００１９】
本発明の一態様は、位置特定操作を受け付ける位置入力ステップと、前記位置入力ステップにおける前記位置特定操作において特定される位置を含む地図データおよび標高データを取得する地図データ取得ステップと、建設される建物の設計データである新築建物設計データを取得する新築建物設計データ取得ステップと、前記地図データ取得ステップにおいて取得される前記地図データが示す地図上に、前記新築建物設計データ取得ステップにおいて取得される前記新築建物設計データが示す前記建物を配置するデータ合成ステップと、前記地図に対する前記建物の相対位置および相対角度の少なくとも一方を修正する修正ステップとを備えるシミュレーション方法であって、前記地図データが示す前記地図には、前記新築建物設計データが示す前記建物の建設予定位置が含まれ、前記地図データ取得ステップにおいて取得される前記地図データおよび標高データには、前記建設予定位置の標高データと、前記建設予定位置の周辺の位置の既存建物である周辺既存建物の情報とが含まれ、前記周辺既存建物の情報には、前記周辺既存建物の位置の標高データと、前記周辺既存建物の高さ情報と、前記周辺既存建物の輪郭形状情報とが含まれる、シミュレーション方法である。
【００２０】
本発明の一態様は、コンピュータに、位置特定操作を受け付ける位置入力ステップと、前記位置入力ステップにおける前記位置特定操作において特定される位置を含む地図データおよび標高データを取得する地図データ取得ステップと、建設される建物の設計データである新築建物設計データを取得する新築建物設計データ取得ステップと、前記地図データ取得ステップにおいて取得される前記地図データが示す地図上に、前記新築建物設計データ取得ステップにおいて取得される前記新築建物設計データが示す前記建物を配置するデータ合成ステップと、前記地図に対する前記建物の相対位置および相対角度の少なくとも一方を修正する修正ステップとを実行させるためのプログラムであって、前記地図データが示す前記地図には、前記新築建物設計データが示す前記建物の建設予定位置が含まれ、前記地図データ取得ステップにおいて取得される前記地図データおよび標高データには、前記建設予定位置の標高データと、前記建設予定位置の周辺の位置の既存建物である周辺既存建物の情報とが含まれ、前記周辺既存建物の情報には、前記周辺既存建物の位置の標高データと、前記周辺既存建物の高さ情報と、前記周辺既存建物の輪郭形状情報とが含まれる、プログラムである。
【発明の効果】
【００２１】
本発明によれば、周辺既存建物の影響を高精度に反映した新築建物の環境設計シミュレーションを行うことができるシミュレーションシステム、シミュレーション方法およびプログラムを提供することができる。
【図面の簡単な説明】
【００２２】
【図１】第１実施形態のシミュレーションシステムの一例などを示す図である。
【図２】地図データ取得部によって取得される地図データが示す地図、新築建物設計データ取得部によって取得される新築建物設計データが示す建物などの一例を説明するための図である。
【図３】データ合成部によって実行される処理の一例などを説明するための図である。
【図４】修正部によって実行される処理の一例などを説明するための図である。
【図５】３次元表示処理部によって実行される処理の一例を説明するための図である。
【図６】第１実施形態のシミュレーションシステムにおいて実行される処理の一例を説明するためのフローチャートである。
【発明を実施するための形態】
【００２３】
以下、本発明のシミュレーションシステム、シミュレーション方法およびプログラムの実施形態について、添付図面を参照して説明する。
【００２４】
＜第１実施形態＞
図１は第１実施形態のシミュレーションシステム１の一例などを示す図である。詳細には、図１（Ａ）は第１実施形態のシミュレーションシステム１の一例を示しており、図１（Ｂ）は第１実施形態のシミュレーションシステム１の適用例を示している。
図１に示す例では、シミュレーションシステム１が、新築建物の環境設計シミュレーションを実行する。シミュレーションシステム１は、位置入力部１０と、地図データ取得部１１と、新築建物設計データ取得部１２と、データ合成部１３と、修正部１４と、３次元表示処理部１５と、シミュレーション部１６と、出力部１７とを備えている。
位置入力部１０は、新築建物の環境設計シミュレーションが行われる位置を特定する操作（例えば、住所の入力操作、地図の表示画面上の１点を例えばマウスなどによって指定する操作など）を受け付ける。
地図データ取得部１１は、位置入力部１０に対する位置特定操作において特定される位置を含む地図データおよび標高データを取得する。詳細には、図１（Ｂ）に示す例では、地図データ取得部１１が、シミュレーションシステム１の外部に配置された地図データベースＤ１から、地図データおよび標高データを取得する。
図１に示す例では、地図データ取得部１１が、地図データベースＤ１から、例えば数百メートル×数百メートルの範囲の地図データおよび標高データを取得する。そのため、新築建物の環境設計シミュレーションに不要な地図データおよび標高データ（冗長な地図データおよび標高データ）が地図データベースＤ１から取得され、シミュレーションシステム１における処理負荷が大きくなってしまうおそれを抑制することができる。また、後述する修正部１４による処理負荷を抑制することができる。
他の例では、地図データ取得部１１が、地図データベースＤ１から、数百メートル×数百メートルとは異なる大きさの範囲の地図データおよび標高データを取得してもよい。
【００２５】
図１に示す例では、新築建物設計データ取得部１２が、建設される建物（新築建物）の設計データである新築建物設計データを取得する。
詳細には、図１（Ｂ）に示す例では、新築建物設計データ取得部１２が、シミュレーションシステム１の外部に配置された新築建物設計データベースＤ２から、新築建物設計データを取得する。
他の例では、新築建物設計データベースＤ２がシミュレーションシステム１の内部に配置され、新築建物設計データ取得部１２がその新築建物設計データベースＤ２から新築建物設計データを取得してもよい。
【００２６】
図１に示す例では、データ合成部１３が、地図データ取得部１１によって取得される地図データと、新築建物設計データ取得部１２によって取得される新築建物設計データとを合成する。詳細には、データ合成部１３は、地図データ取得部１１によって取得される地図データが示す地図ＭＰ（図２（Ａ）、図２（Ｂ）および図３（Ａ）参照）上に、新築建物設計データ取得部１２によって取得される新築建物設計データが示す建物ＢＧ（図２（Ｃ）および図３（Ａ）参照）を配置する。
修正部１４は、データ合成部１３によって合成が実行された後に、地図ＭＰ（地図データが示す地図ＭＰ）に対する建物ＢＧ（新築建物設計データが示す建物ＢＧ）の相対位置および相対角度を修正する。
他の例では、修正部１４が、データ合成部１３によって合成が実行された後に、地図ＭＰ（地図データが示す地図ＭＰ）に対する建物ＢＧ（新築建物設計データが示す建物ＢＧ）の相対位置のみを修正してもよい。
更に他の例では、修正部１４が、データ合成部１３によって合成が実行された後に、地図ＭＰ（地図データが示す地図ＭＰ）に対する建物ＢＧ（新築建物設計データが示す建物ＢＧ）の相対角度のみを修正してもよい。
【００２７】
図１に示す例では、３次元表示処理部１５は、新築建物設計データが示す建物ＢＧなどの３次元表示処理を実行する。
シミュレーション部１６は、新築建物設計データが示す建物ＢＧの環境設計シミュレーションを実行する。シミュレーション部１６は、日射シミュレーション部１６Ａと、通風シミュレーション部１６Ｂと、日照シミュレーション部１６Ｃと、採光シミュレーション部１６Ｄとを備えている。
日射シミュレーション部１６Ａは、例えば特許第４７６１７８７号公報に記載されているような日射シミュレーションを実行する。通風シミュレーション部１６Ｂは、例えば特許文献１に記載されているような通風シミュレーションを実行する。日照シミュレーション部１６Ｃは、例えば特許文献５に記載されているような日照シミュレーションを実行する。採光シミュレーション部１６Ｄは、例えば特許文献２に記載されているような採光シミュレーションを実行する。
出力部１７は、例えばシミュレーション部１６によって実行された環境設計シミュレーションの結果などを出力する。出力部１７は、例えば環境設計シミュレーションの結果などをディスプレイ（図示せず）などに表示する。
他の例では、出力部１７が、例えば環境設計シミュレーションの結果などを印刷によって出力してもよい。
【００２８】
図２は地図データ取得部１１によって取得される地図データが示す地図ＭＰ、新築建物設計データ取得部１２によって取得される新築建物設計データが示す建物ＢＧなどの一例を説明するための図である。詳細には、図２（Ａ）は地図データ取得部１１によって取得される地図データが示す地図ＭＰの一部の一例を示している。図２（Ｂ）は図２（Ａ）に示す地図ＭＰ中の建設予定位置ＣＳを拡大して示している。図２（Ｃ）は新築建物設計データ取得部１２によって取得される新築建物設計データが示す建物ＢＧであって、図２（Ｂ）に示す建設予定位置ＣＳに建設予定の建物ＢＧを示している。
【００２９】
図２に示す例では、地図データ取得部１１によって取得される地図データが示す地図ＭＰに、新築建物設計データ取得部１２によって取得される新築建物設計データが示す建物ＢＧの建設予定位置ＣＳが含まれる。
詳細には、地図データ取得部１１によって取得される地図データおよび標高データに、建設予定位置ＣＳの標高データおよび位置情報が含まれる。つまり、地図データ取得部１１によって取得される地図データには、建設予定位置ＣＳの外周線ＣＳＬの形状の情報（外周線ＣＳＬの位置情報）が含まれる。更に、地図データ取得部１１によって取得される地図データおよび標高データには、建設予定位置ＣＳの周辺の位置の既存建物である周辺既存建物ＳＢ１〜ＳＢ６の情報が含まれる。
周辺既存建物ＳＢ１の情報には、周辺既存建物ＳＢ１の位置の標高データと、周辺既存建物ＳＢ１の高さ情報と、周辺既存建物ＳＢ１の輪郭Ｔ１の形状の情報（輪郭形状情報）とが含まれる。周辺既存建物ＳＢ１は、土地ＳＬ１上に配置されている。
周辺既存建物ＳＢ２の情報には、周辺既存建物ＳＢ２の位置の標高データと、周辺既存建物ＳＢ２の高さ情報と、周辺既存建物ＳＢ２の輪郭Ｔ２の形状の情報とが含まれる。周辺既存建物ＳＢ２は、土地ＳＬ２上に配置されている。
周辺既存建物ＳＢ３の情報には、周辺既存建物ＳＢ３の位置の標高データと、周辺既存建物ＳＢ３の高さ情報と、周辺既存建物ＳＢ３の輪郭Ｔ３の形状の情報とが含まれる。周辺既存建物ＳＢ３は、土地ＳＬ３上に配置されている。
周辺既存建物ＳＢ４の情報には、周辺既存建物ＳＢ４の位置の標高データと、周辺既存建物ＳＢ４の高さ情報と、周辺既存建物ＳＢ４の輪郭Ｔ４の形状の情報とが含まれる。周辺既存建物ＳＢ４は、土地ＳＬ４上に配置されている。
周辺既存建物ＳＢ６の情報には、周辺既存建物ＳＢ６の位置の標高データと、周辺既存建物ＳＢ６の高さ情報と、周辺既存建物ＳＢ６の輪郭Ｔ６の形状の情報とが含まれる。周辺既存建物ＳＢ６は、土地ＳＬ６上に配置されている。土地ＳＬ５、ＳＬ７上には、周辺既存建物が配置されていない。
周辺既存建物ＳＢ１の高さ情報には、周辺既存建物ＳＢ１の階数情報が含まれ、周辺既存建物ＳＢ２の高さ情報には、周辺既存建物ＳＢ２の階数情報が含まれ、周辺既存建物ＳＢ３の高さ情報には、周辺既存建物ＳＢ３の階数情報が含まれる。また、周辺既存建物ＳＢ４の高さ情報には、周辺既存建物ＳＢ４の階数情報が含まれ、周辺既存建物ＳＢ６の高さ情報には、周辺既存建物ＳＢ６の階数情報が含まれる。
更に、地図データ取得部１１によって取得される地図データには、建設予定位置ＣＳに隣接する道路ＲＤと建設予定位置ＣＳとの境界線ＲＤＢの情報が含まれる。
また、新築建物設計データ取得部１２によって取得される新築建物設計データには、建物ＢＧの敷地ＳＴの外周線ＳＴＬの位置情報（形状の情報も含む）が含まれる。建物ＢＧの敷地ＳＴの外周線ＳＴＬの位置情報は、例えば測量を行うことによって得られ、新築建物設計データベースＤ２に予め格納されている。
他の例では、新築建物設計データ取得部１２によって取得される新築建物設計データに、建物ＢＧの敷地ＳＴの外周線ＳＴＬの位置情報（形状の情報も含む）が含まれなくてもよい。
【００３０】
図１および図２に示す例では、地図データ取得部１１が、プライバシーに配慮し、周辺既存建物ＳＢ１、ＳＢ２、ＳＢ３、ＳＢ４、ＳＢ６の属性（例えば公共施設の建物であるか、あるいは、個人所有の建物であるか等）の情報および住所番地の情報が除かれたものを、地図データベースＤ１から地図データおよび標高データとして取得する。
また、地図データ取得部１１は、都道府県市区町村の境界線の情報（つまり、建物ＢＧの環境設計シミュレーションに不要な情報）が除かれたものを、地図データベースＤ１から地図データおよび標高データとして取得する。そのため、都道府県市区町村の境界線の情報が地図データおよび標高データとして取得される場合よりも、地図データおよび標高データを取得する負荷を抑制することができ、地図データ取得部１１によって取得された地図データおよび標高データの記憶容量を抑制することができる。
【００３１】
例えば周辺の土地ＳＬ１〜ＳＬ７の形質の変更、周辺既存建物ＳＢ１、ＳＢ２、ＳＢ３、ＳＢ４、ＳＢ６の改築などが行われた場合には、地図データおよび標高データが、地図データベースＤ１において更新される。
すなわち、例えば周辺の土地ＳＬ１〜ＳＬ７の形質の変更、周辺既存建物ＳＢ１、ＳＢ２、ＳＢ３、ＳＢ４、ＳＢ６の改築などが行われた場合には、地図データ取得部１１によって取得された地図データおよび標高データが、シミュレーションシステム１において更新されるのではなく、地図データベースＤ１において更新された地図データおよび標高データが、地図データ取得部１１によって地図データベースＤ１から取得される。
そのため、シミュレーションシステム１は、シミュレーションシステム１において地図データおよび標高データの更新が行われる場合よりも、シミュレーションシステム１における処理負荷を抑制することができる。
【００３２】
図１および図２に示す例では、地図データベースＤ１に格納されている地図データおよび標高データは、例えばデジタル地図調整業者によって製作された地図データに、建設予定位置ＣＳの標高データと周辺既存建物ＳＢ１〜ＳＢ６の位置の標高データとが付加されて、一元化されたものである。
つまり、地図データ取得部１１は、地図データベースＤ１において建設予定位置ＣＳの標高データと周辺既存建物ＳＢ１〜ＳＢ６の位置の標高データとが地図データに対して付加されたものを、地図データおよび標高データとして地図データベースＤ１から取得する。
そのため、シミュレーションシステム１は、シミュレーションシステム１によって標高データの取得および付加が行われる場合よりも、シミュレーションシステム１における処理負荷を抑制することができる。
【００３３】
図３はデータ合成部１３によって実行される処理の一例などを説明するための図である。詳細には、図３（Ａ）はデータ合成部１３による処理が実行された後の状態の一例を示しており、図３（Ｂ）は修正部１４による処理が実行された後の状態の一例を示している。
図３（Ａ）に示す例では、データ合成部１３が、地図データ取得部１１によって取得された地図データと、新築建物設計データ取得部１２によって取得された新築建物設計データとを合成する。詳細には、データ合成部１３は、地図データ取得部１１によって取得された地図データが示す地図ＭＰ（図２（Ａ）および図２（Ｂ）参照）上に、新築建物設計データ取得部１２によって取得された新築建物設計データが示す建物ＢＧ（図２（Ｃ）参照）を配置する。
上述したように、住宅地図における建物の敷地の形状・位置と、測量により得られたその建物の建設地（敷地）の形状・位置とは、通常一致しない。
そのため、データ合成部１３による処理が実行された後の状態の図３（Ａ）に示す例においても、地図データ取得部１１によって取得された地図データが示す地図ＭＰ中の建設予定位置ＣＳの外周線ＣＳＬと、新築建物設計データ取得部１２によって取得された新築建物設計データが示す建物ＢＧの敷地ＳＴの外周線ＳＴＬとがずれている。
つまり、図３（Ａ）に示す状態では、地図データが示す地図ＭＰ（図２（Ａ）および図２（Ｂ）参照）に含まれる周辺の土地ＳＬ１〜ＳＬ７（図２（Ａ）参照）、周辺既存建物ＳＢ１、ＳＢ２、ＳＢ３、ＳＢ４、ＳＢ６（図２（Ａ）参照）、道路ＲＤ（図２（Ａ）参照）等と、新築建物設計データが示す建物ＢＧ（図２（Ｃ）および図３（Ａ）参照）との相対位置関係が不正確である。
仮に、周辺の土地ＳＬ１〜ＳＬ７、周辺既存建物ＳＢ１、ＳＢ２、ＳＢ３、ＳＢ４、ＳＢ６、道路ＲＤ等と建物ＢＧとの相対位置関係が不正確な状態（図３（Ａ）に示す状態）で建物ＢＧの環境設計シミュレーションが実行されると、当然のことながら、周辺既存建物ＳＢ１、ＳＢ２、ＳＢ３、ＳＢ４、ＳＢ６の影響を高精度に反映した建物ＢＧの環境設計シミュレーション結果は得られない。
【００３４】
そこで、第１実施形態のシミュレーションシステム１では、修正部１４が、地図ＭＰに対する建物ＢＧの相対位置および相対角度を修正する処理を実行する。
詳細には、図３（Ｂ）に示す例では、修正部１４が、図３（Ａ）に示す地図ＭＰに対する建物ＢＧの相対位置および相対角度を修正する処理を実行する。
具体的には、図３（Ａ）および図３（Ｂ）に示す例では、修正部１４は、新築建物設計データが示す敷地ＳＴおよび建物ＢＧを移動させることなく、地図データが示す地図ＭＰ（および地図ＭＰに含まれる建設予定位置ＣＳ等）を、敷地ＳＴおよび建物ＢＧに対して左下向き（図３（Ａ）および図３（Ｂ）の左下向き）に移動させると共に、反時計回りに回転させる。
その結果、図３（Ａ）および図３（Ｂ）に示す例では、地図データが示す地図ＭＰに含まれる建設予定位置ＣＳの外周線ＣＳＬの右上部分ＣＳＰと、新築建物設計データが示す敷地ＳＴの外周線ＳＴＬの右上部分ＳＴＰとが一致する。
すなわち、図３（Ｂ）に示す例では、修正部１４は、地図データが示す建設予定位置ＣＳの外周線ＣＳＬの右上部分ＣＳＰと、新築建物設計データが示す敷地ＳＴの外周線ＳＴＬの右上部分ＳＴＰとが一致するように、地図ＭＰに対する建物ＢＧの相対位置および相対角度を修正する。
【００３５】
図２および図３に示す例では、地図データが示す建設予定位置ＣＳの外周線ＣＳＬの右上部分ＣＳＰは、建設予定位置ＣＳに隣接する道路ＲＤと建設予定位置ＣＳとの境界線ＲＤＢに相当する。つまり、建設予定位置ＣＳの外周線ＣＳＬの右上部分ＣＳＰの位置情報の精度が比較的高いと考えられる。
そのため、図３（Ｂ）に示す例では、新築建物設計データが示す敷地ＳＴの外周線ＳＴＬに一致させる部分として、建設予定位置ＣＳの外周線ＣＳＬの右上部分ＣＳＰが利用される。
【００３６】
図２および図３に示す例では、地図データが示す建設予定位置ＣＳの明瞭な外周線ＣＳＬが、地図データ取得部１１によって取得される地図データに含まれているため、上述したように、修正部１４は、建設予定位置ＣＳの外周線ＣＳＬの右上部分ＣＳＰと敷地ＳＴの外周線ＳＴＬの右上部分ＳＴＰとが一致するように、地図ＭＰに対する建物ＢＧの相対位置および相対角度の修正を実行する。
一方、地図データ取得部１１によって取得される地図データによっては、地図データが示す建設予定位置ＣＳの外周線ＣＳＬが、地図データに含まれていないか、あるいは、不明瞭である場合がある。
そのような場合に、修正部１４は、地図ＭＰに対する建物ＢＧの相対位置および相対角度の修正を実行する前に、地図データが示す建設予定位置ＣＳの外周線ＣＳＬを追加する。
そのため、地図データ取得部１１によって取得される地図データが示す建設予定位置ＣＳの外周線ＣＳＬが地図データに含まれていない場合や、不明瞭である場合であっても、シミュレーションシステム１は建物ＢＧの環境設計シミュレーションを実行することができる。
【００３７】
また、地図データ取得部１１によって取得される地図データによっては、地図データが示す地図ＭＰに含まれる建設予定位置ＣＳ上に、新築建物設計データが示す建物ＢＧとは異なる既存建物ＥＢＧ（図２（Ａ）および図２（Ｂ）参照）が存在する場合もある。
そこで、第１実施形態のシミュレーションシステム１では、地図データ取得部１１によって取得される地図データが示す地図ＭＰに含まれる建設予定位置ＣＳ上に、新築建物設計データ取得部１２によって取得される新築建物設計データが示す建物ＢＧとは異なる既存建物ＥＢＧが存在する場合に、修正部１４は、その既存建物ＥＢＧを消去する処理を実行する。
【００３８】
図４は修正部１４によって実行される処理の一例などを説明するための図である。詳細には、図４（Ａ）は既存建物ＥＢＧを消去する処理が修正部１４によって実行される前の状態の一例を示しており、図４（Ｂ）は既存建物ＥＢＧを消去する処理が修正部１４によって実行された後の状態の一例を示している。
図２および図３に示す例では、地図データ取得部１１によって取得される地図データが示す地図ＭＰに含まれる建設予定位置ＣＳ上に、新築建物設計データ取得部１２によって取得される新築建物設計データが示す建物ＢＧとは異なる既存建物ＥＢＧが存在する。
そこで、図４（Ａ）および図４（Ｂ）に示すように、修正部１４は、地図データが示す地図ＭＰに含まれる建設予定位置ＣＳ上に存在する既存建物ＥＢＧを消去する処理を実行する。
そのため、第１実施形態のシミュレーションシステム１では、建設予定位置ＣＳ上に実在しない既存建物ＥＢＧが、建物ＢＧの環境設計シミュレーションに悪影響を与えるおそれを回避することができる。
図３および図４に示す例では、データ合成部１３による処理（図３（Ａ）に示す処理）および修正部１４による地図ＭＰに対する建物ＢＧの相対位置および相対角度の修正（図３（Ｂ）に示す処理）が実行された後に、修正部１４による既存建物ＥＢＧの消去（図４（Ａ）および図４（Ｂ）に示す処理）が実行される。
他の例では、データ合成部１３による処理（図３（Ａ）に示す処理）および／または修正部１４による地図ＭＰに対する建物ＢＧの相対位置および相対角度の修正（図３（Ｂ）に示す処理）が実行される前に、修正部１４による既存建物ＥＢＧの消去（図４（Ａ）および図４（Ｂ）に示す処理）が実行されてもよい。
【００３９】
図５は３次元表示処理部１５によって実行される処理の一例を説明するための図である。
図５に示す例では、３次元表示処理部１５が、地図データ取得部１１によって取得された地図データに含まれる建設予定位置ＣＳの標高データおよび位置情報に基づいて、建設予定位置ＣＳを３次元表示処理すると共に、新築建物設計データ取得部１２によって取得された新築建物設計データに基づいて、建物ＢＧを建設予定位置ＣＳ上に３次元表示処理している。
また、図５に示す例では、３次元表示処理部１５が、地図データ取得部１１によって取得された地図データおよび標高データに含まれる建設予定位置ＣＳの周辺の周辺既存建物ＳＢ１〜ＳＢ４の情報（詳細には、周辺既存建物ＳＢ１〜ＳＢ４の位置の標高データ、周辺既存建物ＳＢ１〜ＳＢ４の高さ情報、および、周辺既存建物ＳＢ１〜ＳＢ４の輪郭Ｔ１〜Ｔ４の形状の情報）に基づいて、周辺既存建物ＳＢ１〜ＳＢ４を３次元表示処理している。
図５に示す例では、建設される建物ＢＧと周辺既存建物ＳＢ１〜ＳＢ４とが、３次元表示処理部１５によって３次元表示処理されているため、シミュレーションシステム１の利用者は、建設される建物ＢＧと周辺既存建物ＳＢ１〜ＳＢ４との関係を容易に把握することができる。
【００４０】
詳細には、図５に示す例では、３次元表示処理部１５が、周辺既存建物ＳＢ１〜ＳＢ４の高さ情報として、周辺既存建物ＳＢ１〜ＳＢ４の階数情報を利用している。
つまり、３次元表示処理部１５は、周辺既存建物ＳＢ１〜ＳＢ４の位置の標高データと、周辺既存建物ＳＢ１〜ＳＢ４の階数情報とに基づいて、周辺既存建物ＳＢ１〜ＳＢ４を３次元表示処理している。
そのため、３次元表示処理部１５は、処理負荷を抑制しつつ、周辺既存建物ＳＢ１〜ＳＢ４を３次元表示処理することができる。
【００４１】
また、第１実施形態のシミュレーションシステム１の３次元表示処理部１５は、例えばシミュレーションシステム１の利用者の入力操作に応じて、周辺既存建物ＳＢ１〜ＳＢ４の屋根の形状などを変更する機能を有する。
更に、３次元表示処理部１５は、例えばシミュレーションシステム１の利用者の入力操作に応じて、周辺既存建物ＳＢ１〜ＳＢ４の位置の高さ（標高）を、地図データ取得部１１によって取得された地図データおよび標高データが示す高さ（標高）から、利用者が指定する任意の高さ（標高）に変更する機能を有する。
また、３次元表示処理部１５は、例えばシミュレーションシステム１の利用者の入力操作に応じて、周辺既存建物ＳＢ１〜ＳＢ４の高さを、地図データ取得部１１によって取得された地図データおよび標高データに含まれる周辺既存建物ＳＢ１〜ＳＢ４の階数情報に相当する高さから、利用者が指定する任意の高さに変更する機能を有する。
【００４２】
図６は第１実施形態のシミュレーションシステム１において実行される処理の一例を説明するためのフローチャートである。
図６に示す例では、ステップＳ０において、位置入力部１０が、新築建物の環境設計シミュレーションが行われる位置を特定する操作（位置特定操作）を受け付ける。
次いで、ステップＳ１では、地図データ取得部１１が地図データベースＤ１から、ステップＳ０における位置特定操作において特定された位置を含む地図データおよび標高データを取得する。
次いで、ステップＳ２では、新築建物設計データ取得部１２が新築建物設計データベースＤ２から、新築建物設計データを取得する。
次いで、ステップＳ３では、データ合成部１３が、ステップＳ１において取得された地図データが示す地図上に、ステップＳ２において取得された新築建物設計データが示す建物を配置する。つまり、ステップＳ３では、データ合成部１３が、ステップＳ１において取得された地図データと、ステップＳ２において取得された新築建物設計データとを合成する。
次いで、ステップＳ４では、修正部１４が、地図に対する建物の相対位置および相対角度を修正する。
次いで、ステップＳ５では、３次元表示処理部１５が、新築建物設計データが示す建物などの３次元表示処理を実行する。
次いで、ステップＳ６では、シミュレーション部１６が、新築建物設計データが示す建物の環境設計シミュレーションを実行する。
【００４３】
上述したように、第１実施形態のシミュレーションシステム１では、新築建物設計データが示す建物ＢＧが、地図データが示す地図ＭＰ上に配置された後に、修正部１４が、地図ＭＰに対する建物ＢＧの相対位置および相対角度を修正する。その結果、新築建物設計データが示す建物ＢＧと、地図データが示す地図ＭＰとの相対位置関係のずれが低減する。
そのため、第１実施形態のシミュレーションシステム１は、周辺既存建物ＳＢ１〜ＳＢ６の影響を高精度に反映した建物ＢＧの環境設計シミュレーションを行うことができる。
【００４４】
＜第２実施形態＞
以下、本発明のシミュレーションシステム、シミュレーション方法およびプログラムの第２実施形態について説明する。
第２実施形態のシミュレーションシステム１は、後述する点を除き、上述した第１実施形態のシミュレーションシステム１と同様に構成されている。従って、第２実施形態のシミュレーションシステム１によれば、後述する点を除き、上述した第１実施形態のシミュレーションシステム１と同様の効果を奏することができる。
【００４５】
上述したように第１実施形態のシミュレーションシステム１では、シミュレーション部１６が、日射シミュレーション部１６Ａと、通風シミュレーション部１６Ｂと、日照シミュレーション部１６Ｃと、採光シミュレーション部１６Ｄとを備えている。
一方、第２実施形態のシミュレーションシステム１では、シミュレーション部１６が、日射シミュレーション部１６Ａ、通風シミュレーション部１６Ｂ、日照シミュレーション部１６Ｃおよび採光シミュレーション部１６Ｄのいずれか１つのみを備えている。
つまり、第２実施形態のシミュレーションシステム１は、新築建物設計データ取得部１２によって取得される新築建物設計データが示す建物ＢＧの日射シミュレーション、通風シミュレーション、日照シミュレーションおよび採光シミュレーションのいずれかを実行する。
第２実施形態のシミュレーションシステム１は、周辺の土地ＳＬ１〜ＳＬ７および周辺既存建物ＳＢ１〜ＳＢ６の影響を高精度に反映した建物ＢＧの日射シミュレーション、通風シミュレーション、日照シミュレーションおよび採光シミュレーションのいずれかを実行することができる。
【００４６】
＜第３実施形態＞
以下、本発明のシミュレーションシステム、シミュレーション方法およびプログラムの第３実施形態について説明する。
第３実施形態のシミュレーションシステム１は、後述する点を除き、上述した第１実施形態のシミュレーションシステム１と同様に構成されている。従って、第３実施形態のシミュレーションシステム１によれば、後述する点を除き、上述した第１実施形態のシミュレーションシステム１と同様の効果を奏することができる。
【００４７】
上述したように第１実施形態のシミュレーションシステム１は、新築建物の環境設計シミュレーションを実行する。シミュレーションシステム１は、地図データ取得部１１と、新築建物設計データ取得部１２と、データ合成部１３と、修正部１４と、３次元表示処理部１５と、シミュレーション部１６と、出力部１７とを備えている。
一方、第３実施形態のシミュレーションシステム１は、新築建物の環境設計シミュレーションを実行する。シミュレーションシステム１は、地図データ取得部１１と、新築建物設計データ取得部１２と、データ合成部１３と、修正部１４と、出力部１７とを備えているものの、３次元表示処理部１５およびシミュレーション部１６を備えていない。
つまり、第３実施形態のシミュレーションシステム１は、第３実施形態のシミュレーションシステム１の外部に配置されたシミュレーション部１６において高精度な建物ＢＧの環境設計シミュレーションを実行するために必要な合成データ（地図データと新築建物設計データとを合成したデータであって、地図ＭＰに対する建物ＢＧの相対位置および相対角度が修正されたデータ）を生成する前処理システムとして機能する。
【００４８】
以上、本発明を実施するための形態について実施形態を用いて説明したが、本発明はこうした実施形態に何等限定されるものではなく、本発明の要旨を逸脱しない範囲内において種々の変形及び置換を加えることができる。上述した各実施形態および各例に記載の構成を適宜組み合わせてもよい。
【００４９】
なお、上述した実施形態におけるシミュレーションシステム１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００５０】
１…シミュレーションシステム、１０…位置入力部、１１…地図データ取得部、１２…新築建物設計データ取得部、１３…データ合成部、１４…修正部、１５…３次元表示処理部、１６…シミュレーション部、１６Ａ…日射シミュレーション部、１６Ｂ…通風シミュレーション部、１６Ｃ…日照シミュレーション部、１６Ｄ…採光シミュレーション部、１７…出力部、Ｄ１…地図データベース、Ｄ２…新築建物設計データベース、ＭＰ…地図、ＣＳ…建設予定位置、ＣＳＬ…外周線、ＣＳＰ…部分、ＥＢＧ…既存建物、ＳＴ…敷地、ＳＴＬ…外周線、ＳＴＰ…部分、ＢＧ…建物、ＳＬ１、ＳＬ２、ＳＬ３、ＳＬ４、ＳＬ５、ＳＬ６、ＳＬ７…周辺の土地、ＳＢ１、ＳＢ２、ＳＢ３、ＳＢ４、ＳＢ６…周辺既存建物、Ｔ１、Ｔ２、Ｔ３、Ｔ４、Ｔ６…輪郭、ＲＤ…道路、ＲＤＢ…境界線
【図１】
2020149160.tif 000003
【図２】
2020149160.tif 000004
【図３】
2020149160.tif 000005
【図４】
2020149160.tif 000006
【図５】
2020149160.tif 000007
【図６】
2020149160.tif 000008